(57)【要約】【課題】  歩車道境界ブロックの途中で歩道と車道を連絡する車などの出入口に敷設するものであって、その存在が極めて明確に認識できるように工夫された歩車道の境界用ブロックの提供。【解決手段】  上平面の巾寸法が１５０ｍｍ〜１８０ｍｍ、下底面の巾寸法が１７０ｍｍ〜２５０ｍｍ、高さ寸法が２００ｍｍ〜３５０ｍｍ、長さ寸法が６００ｍｍ〜２０００ｍｍであり、その下底面から上平面に向って立上る傾斜面の凡そ中間付近に対し、一定大きさの凹穴を設け、該凹穴内に反射板を嵌合止着させたものとなす。【選択図】      図１
0003128911.tif 000002
【実用新案登録請求の範囲】
【請求項１】
上平面の巾寸法が１５０ｍｍ〜１８０ｍｍ、下底面の巾寸法が１７０ｍｍ〜２５０ｍｍ、高さ寸法が２００ｍｍ〜３５０ｍｍ、長さ寸法が６００ｍｍ〜２０００ｍｍであり、その下底面から上平面に向って立上る傾斜面の凡そ中間付近に対し、一定大きさの凹穴を設け、該凹穴内に反射板を嵌合止着させたことを特徴とする歩車道の境界用コーナーブロック。
【請求項２】
上記一定大きさの凹穴面積は、２０ｃｍ２〜３６０ｃｍ２になされることを特徴とした請求項１記載の歩車道の境界用コーナーブロック。
【請求項３】
上記反射板は二等辺三角形状をなし、その下辺はブロック下底面と平行で且つその二等辺の頂角が上平面の中央を指し示すようになされていることを特徴とした請求項１又は２記載の歩車道の境界用コーナーブロック。
【請求項４】
上記反射板は、赤色反射板になされていることを特徴とした請求項２記載の歩車道の境界用コーナーブロック。
【考案の詳細な説明】
【技術分野】
【０００１】
本考案は車道と歩道の境界に沿って設置される歩車道境界ブロックの始端や終端、或いはその途中で車の出入り用などで途切らせる必要となる箇所に敷設する境界用コーナーブロックに関する。
【背景技術】
【０００２】
図３は従来のコンクリートによる歩車道の境界用コーナーブロック１’を示すものであって、通行時の障害とならないようにその前端面を専ら円弧状の立上り面２’に形成し、その歩道側へ標識板３’を立設するか、その水平上面にデリネーター４’を取付けたりすることが行われている。
【特許文献１】特開２００３−２２１８０３
【考案の開示】
【考案が解決しようとする課題】
【０００３】
上記に於ける標識板３’の設置は歩道からは歩行者や自転車など走行の邪魔であり、且つ設置費用が高価である。一方、デリネータ４’だけの場合は何処に出入り口用の端縁部が位置するか解り難くて車が乗り上げたりする等の事故が発生する。従って、より安全にするためには上記標識板３’との併用設置が望まれるものとなっている。
本考案は上記の問題点を簡便且つ安価に解決せんとするものである。
【課題を解決するための手段】
【０００４】
本考案に係る歩車道の境界用コーナーブロックは、上平面の巾寸法が１５０ｍｍ〜１８０ｍｍ、下底面の巾寸法が１７０ｍｍ〜２５０ｍｍ、高さ寸法が２００ｍｍ〜３５０ｍｍ、長さ寸法が６００ｍｍ〜２０００ｍｍであり、その下底面から上平面に向って立上る傾斜面の凡そ中間付近に対し、一定大きさの凹穴を設け、該凹穴内に反射板を嵌合止着させたことを特徴とする。このさい、上記反射板の平面積は専ら２０ｃｍ２〜３６０ｃｍ２となされるのであり、また反射板の形状は任意形状にすることができるが、とりわけ二等辺三角形状となし、その下辺をブロック体下底面と平行で且つその頂角が上平面の中央を指し示すようにしたり、また該反射板は専ら赤色反射板を採用するようにするのである。
【考案の効果】
【０００５】
本考案に係る歩車道の境界用コーナーブロックは、以上の通り下底面から上平面に向って立上る傾斜壁面の凡そ中間付近に対して反射板を取付けるようになすのであり、このことは該反射板を介し路上面の存在位置の認識が容易となり、また一定高さの凹穴を穿設し、該凹穴内へ上記反射板を嵌合止着させるようになしてあることは、反射板が容易に離脱したりすることがなく、保持管理に優れ半永久的な使用を可能にするものとなる。
【０００６】
一方、反射板を二等辺三角形状となし、且つその下辺をブロック体下底面と平行で且つその二等辺の頂角が上平面の中央を指し示すようになしたものでは、上記ブロック体位置の認識の外に巾間隔やコーナー部の識別ができ、その方向性を含めての認識が容易になる。他方、反射板を赤色となしたものは、その危険認識をより高めて安全性の確保に貢献することができるものとなる。
【考案を実施するための最良の形態】
【０００７】
図１は本考案に係る歩車道の境界用コーナーブロック１（以下、ブロック体と称す）の斜視図である。ここで、該ブロック体１の規格寸法は上平面の巾寸法が１５０ｍｍ〜１８０ｍｍ、下底面の巾寸法が１７０ｍｍ〜２００、高さ寸法が２００ｍｍ〜３５０ｍｍ、長さ寸法が６００ｍｍ〜２０００ｍｍであり、その先端部（始端部）が下底面から上平面に向って立上る弧状の傾斜面２が形成されるものとなされることは、従来品と変わりがない。
【０００８】
本考案では、上記ブロック体１の下底面から上平面に向けて立上る傾斜面２の凡そ中間付近に対し、一定大きさの凹穴３を穿設すると共に、該凹穴３内に対して反射板４を嵌合止着するようになさしめる。
【０００９】
上記凹穴３の平面積は本考案者の幾多の実験結果から２０ｃｍ２〜３６０ｃｍ２とすることが好ましいことが解った。これは凡そ２０ｃｍ２以下では遠方からの認識が適確になし得ない問題があり、これに対し上記面積を大きくすることはその認識が例え遠方からでも容易となる上で優れるが、反射板のコスト高となること及びこの点と実用上の視野範囲の点を考えてその上限を３６０ｃｍ２となしたものである。
【００１０】
ところで、上記凹穴３はブロック体１の製造時に一体的に製造するのであり、その該凹穴３の形状は円形、楕円、方形など任意な形状に作成することができるが、図示例では二等辺三角形状に形成したものを示す。このさい、その大きさは本考案者の幾多の実験結果から近くを含む比較的遠方からでもその存在が適確に認識できる範囲として２０ｃｍ２〜３６０ｃｍ２とするのである。
【００１１】
而して、上記面積の凹穴３内に反射板４が嵌合止着されるようになすのであり、図示例の二等辺三角形状となした反射板４は、その底辺がブロック体１の下底辺と平行をなし、且つその二等辺の頂角ｐがブロック体上平面の中央を指し示すようになされるのである。
【００１２】
上記の如き構成の配置は、本考案の幾多実験結果から、とりわけ夜間に該反射板４を介し路上面やコーナー部の識別ができ、存在位置の認識が極めて容易であり、例え出入口を示す標識板を立設してなくても、上記ブロック体１に車を衝突させたり乗り上げさせたりすることのないものにすることができる。
【００１３】
図２は本考案品の使用状態図であり、５は車道、６は歩道、７は両者間に沿って敷設される歩車道境界ブロックであり、該ブロック７の適当箇所には本考案品による車などの出入口８が設けられるのである。
【００１４】
なお、本考案で反射板に赤色反射板を使用したものでは、危険認識をより強く自覚するものとなって、安全性の確保に貢献すること大ならしめるものとなる。
【図面の簡単な説明】
【００１５】
【図１】本考案に係る歩車道の境界用コーナーブロックの斜視図である。
【図２】上記の使用状態図である。
【図３】従来品の使用状態図である。
【符号の説明】
【００１６】
１      歩車道の境界用コーナーブロック
２      傾斜面
３      凹穴
４      反射板
５      車道
６      歩道
７      歩車道境界ブロック
８      出入口
【図１】
0003128911.tif 000003
【図２】
0003128911.tif 000004
【図３】
0003128911.tif 000005
【手続補正書】
【提出日】平成18年11月20日(2006.11.20)
【手続補正１】
【補正対象書類名】実用新案登録請求の範囲
【補正対象項目名】請求項１
【補正方法】変更
【補正の内容】
【請求項１】
上平面の巾寸法が１５０ｍｍ〜１８０ｍｍ、下底面の巾寸法が１７０ｍｍ〜２５０ｍｍ、高さ寸法が２００ｍｍ〜３５０ｍｍ、長さ寸法が６００ｍｍ〜２０００ｍｍであり、その長さ方向下底面先端部から上平面に向って立上る傾斜面の凡そ中間付近に対し、一定大きさの凹穴を設け、該凹穴内に反射板を嵌合止着させたことを特徴とする歩車道の境界用コーナーブロック。
【手続補正２】
【補正対象書類名】実用新案登録請求の範囲
【補正対象項目名】請求項３
【補正方法】変更
【補正の内容】
【請求項３】
上記反射板は二等辺三角形状をなし、その下辺はブロック下底面の巾方向と平行で且つその二等辺の頂角が上平面の中央を指し示すようになされていることを特徴とした請求項１又は２記載の歩車道の境界用コーナーブロック。
【手続補正３】
【補正対象書類名】明細書
【補正対象項目名】０００４
【補正方法】変更
【補正の内容】
【０００４】
本考案に係る歩車道の境界用コーナーブロックは、上平面の巾寸法が１５０ｍｍ〜１８０ｍｍ、下底面の巾寸法が１７０ｍｍ〜２５０ｍｍ、高さ寸法が２００ｍｍ〜３５０ｍｍ、長さ寸法が６００ｍｍ〜２０００ｍｍであり、その長さ方向下底面先端部から上平面に向って立上る傾斜面の凡そ中間付近に対し、一定大きさの凹穴を設け、該凹穴内に反射板を嵌合止着させたことを特徴とする。このさい、上記反射板の平面積は専ら２０ｃｍ２〜３６０ｃｍ２となされるのであり、また反射板の形状は任意形状にすることができるが、とりわけ二等辺三角形状となし、その下辺をブロック体下底面の巾方向と平行で且つその頂角が上平面の中央を指し示すようにしたり、また該反射板は専ら赤色反射板を採用するようにするのである。
【手続補正４】
【補正対象書類名】明細書
【補正対象項目名】０００５
【補正方法】変更
【補正の内容】
【０００５】
本考案に係る歩車道の境界用コーナーブロックは、以上の通りその長さ方向の下底面先端部から上平面に向って立上る傾斜壁面の凡そ中間付近に対して反射板を取付けるようになすのであり、このことは該反射板を介し路上面の存在位置の認識が容易となり、また一定高さの凹穴を穿設し、該凹穴内へ上記反射板を嵌合止着させるようになしてあることは、反射板が容易に離脱したりすることがなく、保持管理に優れ半永久的な使用を可能にするものとなる。
【手続補正５】
【補正対象書類名】明細書
【補正対象項目名】０００６
【補正方法】変更
【補正の内容】
【０００６】
一方、反射板を二等辺三角形状となし、且つその下辺をブロック体下底面の巾方向と平行で且つその二等辺の頂角が上平面の中央を指し示すようになしたものでは、上記ブロック体位置の認識の外に巾間隔やコーナー部の識別ができ、その方向性を含めての認識が容易になる。他方、反射板を赤色となしたものは、その危険認識をより高めて安全性の確保に貢献することができるものとなる。
【手続補正６】
【補正対象書類名】明細書
【補正対象項目名】０００７
【補正方法】変更
【補正の内容】
【０００７】
図１は本考案に係る歩車道の境界用コーナーブロック１（以下、ブロック体と称す）の斜視図である。ここで、該ブロック体１の規格寸法は上平面の巾寸法が１５０ｍｍ〜１８０ｍｍ、下底面の巾寸法が１７０ｍｍ〜２００、高さ寸法が２００ｍｍ〜３５０ｍｍ、長さ寸法が６００ｍｍ〜２０００ｍｍであり、その長さ方向先端部（始端部）が下底面から上平面に向って立上る弧状の傾斜面２が形成されるものとなされることは、従来品と変わりがない。
【手続補正７】
【補正対象書類名】明細書
【補正対象項目名】０００８
【補正方法】変更
【補正の内容】
【０００８】
本考案では、上記ブロック体１の長さ方向下底面先端部から上平面に向けて立上る傾斜面２の凡そ中間付近に対し、一定大きさの凹穴３を穿設すると共に、該凹穴３内に対して反射板４を嵌合止着するようになさしめる。
【手続補正８】
【補正対象書類名】明細書
【補正対象項目名】００１１
【補正方法】変更
【補正の内容】
【００１１】
而して、上記面積の凹穴３内に反射板４が嵌合止着されるようになすのであり、図示例の二等辺三角形状となした反射板４は、その底辺がブロック体１の巾方向下底辺と平行をなし、且つその二等辺の頂角ｐがブロック体上平面の中央を指し示すようになされるのである。